(57)【要約】【課題】筐体を大型化することなく、吸い込み圧損を低減し、運転騒音を低下することができる天井吊形空気調和機を提供する。【解決手段】天井１に吊り下げられて設置される筐体３内に風路を備え、筐体３の上流側及び下流側に風路と連通する空気の吸込口６と吹出口７を有し、筐体３内に風路を吸込口側と吹出口側に分離するセパレータ８が設置されるとともに、フィルタ１１、送風機１２、熱交換器１３を備えた天井吊形空気調和機であって、筐体３の風路上流側の下面３ｂ及び背面３ａに同時に空気を吸い込む空気吸込口６を設けた。この場合、空気調和機の筐体３はほぼ直方体形状をなし、筐体３の風路上流側の下面３ｂ及び背面３ａに同時に空気を吸い込む空気吸込口６を隣接させて設けることができる。あるいは、筐体３の風路上流側の下面３ｂから背面３ａにかけて平面から曲面へと一体に変化する空気吸込口６を設けることができる。【選択図】        図１
2006250420.tif 000002
【特許請求の範囲】
【請求項１】
天井に吊り下げられて設置される筐体内に風路を備え、前記筐体の上流側及び下流側に前記風路と連通する空気の吸込口と吹出口を有し、前記筐体内に前記風路を吸込口側と吹出口側に分離するセパレータが設置されるとともに、フィルタ、送風機、熱交換器を備えた天井吊形空気調和機において、
前記筐体の風路上流側の下面及び背面に同時に空気を吸い込む空気吸込口を設けたことを特徴とする天井吊形空気調和機。
【請求項２】
空気調和機の筐体はほぼ直方体形状をなし、前記筐体の風路上流側の下面及び背面に同時に空気を吸い込む空気吸込口を隣接させて設けたことを特徴とする請求項１記載の天井吊形空気調和機。
【請求項３】
空気調和機の筐体はほぼ直方体形状をなし、前記筐体の風路上流側の下面から背面にかけて平面から曲面へと一体に変化する空気吸込口を設けたことを特徴とする請求項１記載の天井吊形空気調和機。
【発明の詳細な説明】
【技術分野】
【０００１】
本発明は天井吊形空気調和機に係り、より詳しくは天井吊形空気調和機の筐体を大型化することなく、吸込口面積を大幅に広げ、吸い込み圧損を低減することによって運転騒音を低下させることができる天井吊形空気調和機に関するものである。
【背景技術】
【０００２】
従来の天井吊形空気調和機は、ほぼ直方体形状の筐体の上流側及び下流側に空気吸込口と空気吹出口を備えてこれらの間に風路を形成し、空気吸込口と空気吹出口との間には、筐体内空間を吸込み側と吹出し側に分離するためのセパレータが設置され、吸込み側空間にはグリル、フィルタ、送風機等を備え、吹出し側空間には熱交換器、風向調節ベーンなどを備え、上流側に位置する筐体背面には電気品箱が取り付けられていた。
【０００３】
そして、空気吸込口は下面吸込口と背面吸込口とからなり、これらの吸込口は筐体上流側の下面（水平面）及び背面（垂直面）位置に隣接した状態でほぼ直交して設けられ、塞板がいずれか一方の吸込口を塞ぎ、他の吸込口より空気を風路内に導入するようにしてある。そして、下面の吸込口寸法および背面の吸込口寸法を二辺とする三角形の他辺の部分にフィルタを斜めに配置しており、いずれの側の吸込口を選択した場合であっても、吸い込まれた空気はフィルタを通過できるようにしてある。このように、塞板を配する面を変更するだけで、据付け場所の状況によって下面および背面のどちらにでも吸込口位置を設定することができるようにしてある。こうして、下面吸込口あるいは背面吸込口のいずれかより吸込まれた空気は、フィルタで除塵された後、送風機によって熱交換器側に送られ、熱交換器によって調温され、吹出し口から調和空気を送出する（例えば、特許文献１参照）。
【０００４】
【特許文献１】実開昭６１−１４２２３１号公報（第１頁、第１図）
【発明の開示】
【発明が解決しようとする課題】
【０００５】
従来の天井吊形空気調和機においては、運転騒音を低下させることがひとつの課題となっているが、このためには空気の吸込口面積を拡大して吸込み圧損を低減することが要求される。しかしながら、上記の空気調和機においては、選択したいずれか一方のみの吸込口より空気を吸い込むようにしたので、空気吸込口を拡大して吸込み圧損を低減するためには各々の吸込口を拡大しなければならないが、このようにすると筐体が大型化してしまう。
【０００６】
本発明は上記のような課題を解決するためになされたもので、筐体を大型化することなく、吸込み圧損を低減し、運転騒音を低下することができる天井吊形空気調和機を提供することを目的とする。
【課題を解決するための手段】
【０００７】
本発明に係る天井吊形空気調和機は、天井に吊り下げられて設置される筐体内に風路を備え、筐体の上流側及び下流側に風路と連通する空気の吸込口と吹出口を有し、筐体内に風路を吸込口側と吹出口側に分離するセパレータが設置されるとともに、フィルタ、送風機、熱交換器を備えた天井吊形空気調和機であって、筐体の風路上流側の下面及び背面に同時に空気を吸い込む空気吸込口を設けたものである。
【発明の効果】
【０００８】
筐体を大型化することなく吸込み口面積を拡大したので、吸込み圧損を低減し、運転騒音の低下を図ることができる。
【発明を実施するための最良の形態】
【０００９】
実施の形態１．
図１は本発明の実施の形態１に係る天井吊形空気調和機の概略を示す縦断面図、図２は図１の背面図である。図に示すように、天井吊形空気調和機は天井１に吊るようにして据え付けられ、天井吊形空気調和機の筐体３の背面３ａに位置する背面パネル３ｃと壁面２との間には十分な隙間が設けられている。天井吊形空気調和機の筐体３はほぼ直方体形状をなし、その上流側の下面３ｂから背面３ａにかけて下面吸込口４と背面吸込口５によって構成された空気吸込口６を有し、下流側には空気吹出口７を有して風路を構成し、筐体３内には筐体３を吸込み側と吹出し側に分離するためのセパレータ８が設置されている。筐体３の吸込み側の風路には、下面フィルタ９（下面吸込口４に対応）と背面フィルタ１０（背面吸込口５に対応）により構成されたフィルタ１１や送風機１２などを備え、吹出し側の風路には熱交換器１３などが備えられている。筐体３の背面パネル３ｃの内側であって背面吸込口５とは異なる場所に電気品箱１４が固定され、また背面吸込口５と重複しない部分に液管１５、ガス管１６、ドレン管１７が配置されている。
【００１０】
次に、上記のように構成した天井吊形空気調和機の作用を説明する。下面吸込口４および背面吸込口５によって構成された空気吸込口６から、送風機１２によって吸込まれて筐体３の内部に入った室内空気は、それぞれ下面フィルタ９および背面フィルタ１０により除塵された後、熱交換器１３に至り、ここで調温されたのち、空気吹出口７から調和空気を送出する。
【００１１】
以上の説明から明らかなように、本発明によれば、従来のように下面または背面のいずれか一方の吸込口のみを選択する場合に比べて、空気吸込口６を下面吸込口４と背面吸込口５の２カ所に設けていずれの吸込口４，５からも空気を吸い込むので、従来よりも空気吸込口６を大幅に広げることができ、そのために吸い込み圧損を低減することができ、同一回転数での風量増加に寄与する。すなわち、同一風量でみれば、回転数の低下、騒音低減につながる。
【００１２】
実施の形態２．
図３は本発明の実施の形態２に係る天井吊形空気調和機の概略を示す縦断面図である。実施の形態１では、天井吊形空気調和機の背面３ａが壁面２と十分な隙間を有して据え付けられた場合を示したが、本実施の形態２では、天井吊形空気調和機の背面３ａが壁面２と十分な隙間を有することなく据え付けられている場合を示している。天井吊形空気調和機の筐体３は、その上流側の下面３ｂから背面３ａにかけて平面状の下面吸込口４と曲面状の背面吸込口５ａとが一体になったほぼ逆Ｊ字状の空気吸込口６を有し、下流側には空気吹出口７を有して風路を構成し、筐体３内には筐体３を吸込み側と吹出し側に分離するためのセパレータ８が設置されている。筐体３の吸込み側の風路には、空気吸込口６に沿ってほぼ逆Ｊ字状に取り付けられたフィルタ１１や送風機１２などを備え、吹出し側の風路には熱交換器１３などが備えられている。筐体３の背面パネル３ｃの内側であって背面吸込口５ａ側とは異なる場所に電気品箱１４が固定されている。
【００１３】
次に、上記のように構成した天井吊形空気調和機の作用を説明する。ほぼ逆Ｊ字状の空気吸込口６から送風機１２によって吸込まれて筐体３の内部に入った室内空気は、フィルタ１１により除塵された後、熱交換器１０に至り、ここで調温されたのち、空気吹出口７から調和空気を送出する。
【００１４】
以上の説明から明らかなように、本実施の形態に係る天井吊形空気調和機によれば、下面吸込口４と背面吸込口５ａが一体になったほぼ逆Ｊ字状の空気吸込口６を有しているために、天井吊形空気調和機が壁面２と十分な隙間を設けて据え付けられないような場合であっても、従来のようにいずれか一方の吸込口のみを選択する場合（従来例を本実施の形態２に適用する場合は、背面３ａがふさがっているので下面吸込口４のみを選択する場合）に比べて、大幅に空気吸込口６を広げることができるので、吸いこみ圧損を低減することができ、同一回転数での風量増加に寄与する。すなわち、同一風量でみれば、回転数の低下、騒音低減につながる。
【図面の簡単な説明】
【００１５】
【図１】本発明の実施の形態１に係る天井吊形空気調和機の概略を示す縦断面図である。
【図２】図１の背面図である。
【図３】本発明の実施の形態２に係る天井吊形空気調和機の概略を示す縦断面図である。
【符号の説明】
【００１６】
１  天井、２  壁面、３  空気調和機の筐体、３ａ  背面、３ｂ  下面、４  下面吸込口、５，５ａ  背面吸込口、６  空気吸込口、７  空気吹出口、８  セパレータ、９  下面フィルタ、１０  背面フィルタ、１１  フィルタ、１２  送風機、１３  熱交換器。
【図１】
2006250420.tif 000003
【図２】
2006250420.tif 000004
【図３】
2006250420.tif 000005